【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
心臓信号のセグメントを処理するシステムであって、
処理装置と、
前記処理装置によって実行されると、前記処理装置が演算を実行する、という命令を記憶する記憶装置と、
を備え、
前記演算は、
少なくとも１つの第１の心臓信号中の信号セグメントを、複数の時間オフセットによってシフトされた当該信号セグメントと相関させて、当該信号セグメントに関する最も高い相関係数を決定する工程と、
少なくとも１つの第２の心臓信号中の信号セグメントを、複数の時間オフセットによってシフトされた当該信号セグメントと相関させて、当該信号セグメントに関する最も高い相関係数を決定する工程と、
前記少なくとも１つの第１の心臓信号中及び前記少なくとも１つの第２の心臓信号中において追加の信号セグメントに対して前記相関を繰り返して、当該追加の信号セグメントの各々に関する最も高い相関係数を決定する工程と、
前記少なくとも１つの第１の心臓信号の前記信号セグメント及び前記少なくとも１つの第２の心臓信号の前記信号セグメントに関する最も高い相関係数を用いて、複数の複合相関係数を生じさせる工程と、
前記少なくとも１つの第１の心臓信号からの少なくとも１つの信号セグメント及び前記少なくとも１つの第２の心臓信号からの少なくとも１つの信号セグメントを含む１組の信号セグメントを選択する工程と、
を備え、
前記少なくとも１つの第１の心臓信号の前記信号セグメントは、前記少なくとも１つの第２の心臓信号の前記信号セグメントとほぼ同時期に存在し、
前記１組の信号セグメントは、前記複数の複合相関係数からの最も高い複合相関係数と関連している、システム。
【請求項２】
前記演算は、前記少なくとも１つの第１の心臓信号及び前記少なくとも１つの第２の心臓信号をフィルタ処理する工程を更に含む、請求項１記載のシステム。
【請求項３】
前記少なくとも１つの第１の心臓信号中の前記複数の信号セグメントは、少なくとも部分的にオーバーラップしている、請求項１記載のシステム。
【請求項４】
前記少なくとも１つの第２の心臓信号中の前記複数の信号セグメントは、少なくとも部分的にオーバーラップしている、請求項１記載のシステム。
【請求項５】
前記少なくとも１つの第１の心臓信号中の前記複数の信号セグメント及び前記少なくとも１つの第２の心臓信号中の前記複数の信号セグメントの各信号セグメントは、所定のセグメント長さのものである、請求項１記載のシステム。
【請求項６】
前記所定のセグメント長さは、長さが２秒及び４秒のうちの一方である、請求項５記載のシステム。
【請求項７】
前記複数の時間オフセットは、１００ｍｓｅｃから３５０ｍｓｅｃまでの範囲にある、請求項１記載のシステム。
【請求項８】
複数の時間オフセットでの第１の心臓信号中の第１の信号セグメントの相関を実行する前記演算は、
前記第１の信号セグメントから第１の基準セグメントを生じさせる演算を含み、前記第１の基準セグメントは、前記第１の信号セグメントの開始時から、前記第１の信号セグメントの終わりから第１の時間オフセットを差し引いた値によって表される終了時まで、延びており、
前記第１の信号セグメント中の前記第１の時間オフセットから前記第１の信号セグメントの前記終わりまで延びる前記第１の信号セグメントの第１の相関係数を、前記第１の基準セグメントに対して決定する演算を含み、
前記第１の信号セグメントから第２の基準セグメントを生じさせる演算を含み、前記第２の基準セグメントは、前記第１の信号セグメントの開始時から、前記第１の信号セグメントの終わりから第２の時間オフセットを差し引いた値によって表される終了時まで、延びており、
前記第１の信号セグメント中の前記第２の時間オフセットから前記第１の信号セグメントの前記終わりまで延びる前記第１の信号セグメントの第２の相関係数を、前記第２の基準セグメントに対して決定する演算を含み、
前記第１の相関係数及び前記第２の相関係数の中から前記第１の心臓信号に関する前記最も高い相関係数を選択する演算を含む、請求項１記載のシステム。
【請求項９】
複数の時間オフセットでの第２の心臓信号中の第１の信号セグメントの相関を実行する前記演算は、
前記第１の信号セグメントから第１の基準セグメントを生じさせる演算を含み、前記第１の基準セグメントは、前記第１の信号セグメントの開始時から、前記第１の信号セグメントの終わりから第１の時間オフセットを差し引いた値によって表される終了時まで、延びており、
前記第１の信号セグメント中の前記第１の時間オフセットから前記第１の信号セグメントの前記終わりまで延びる前記第１の信号セグメントの第１の相関係数を、前記第１の基準セグメントに対して決定する演算を含み、
前記第１の信号セグメントから第２の基準セグメントを生じさせる演算を含み、前記第２の基準セグメントは、前記第１の信号セグメントの開始時から、前記第１の信号セグメントの終わりから第２の時間オフセットを差し引いた値によって表される終了時まで、延びており、
前記第１の信号セグメント中の前記第２の時間オフセットから前記第１の信号セグメントの前記終わりまで延びる前記第１の信号セグメントの第２の相関係数を、前記第２の基準セグメントに対して決定する演算を含み、
前記第１の相関係数及び前記第２の相関係数の中から前記第２の心臓信号に関する前記最も高い相関係数を選択する演算を含む、請求項８記載のシステム。
【請求項１０】
複数の複合相関係数の生成を実行する前記演算は、前記第１の心臓信号に関する前記最も高い相関係数と前記第２の心臓信号に関する前記最も高い相関係数との和を計算する演算を含む、請求項９記載のシステム。
【請求項１１】
複数の複合相関係数の生成を実行する前記演算は、前記第１の心臓信号に関する前記最も高い相関係数と前記第２の心臓信号に関する前記最も高い相関係数との平均値を計算する演算を含む、請求項９記載のシステム。
【請求項１２】
複数の複合相関係数の生成を実行する前記演算は、前記第１の心臓信号に関する前記最も高い相関係数と前記第２の心臓信号に関する前記最も高い相関係数との二乗平均平方根を計算する演算を含む、請求項９記載のシステム。
【請求項１３】
前記複数の複合相関係数は、前記少なくとも１つの第１の心臓信号の前記信号セグメント及び前記少なくとも１つの第２の心臓信号の前記信号セグメントに関する前記最も高い相関係数の和、平均値、及び二乗平均平方根のうちの１つを用いて生成される、請求項１記載のシステム。
【請求項１４】
前記演算は、前記１組の信号セグメントを処理して心調律障害の発生源を突き止める演算を更に含む、請求項１記載のシステム。
【請求項１５】
複数の心臓信号のセグメントを処理する方法であって、
少なくとも１つの第１の心臓信号中の信号セグメントを、複数の時間オフセットによってシフトされた当該信号セグメントと相関させて、当該信号セグメントに関する最も高い相関係数を決定する工程と、
少なくとも１つの第２の心臓信号中の信号セグメントを、複数の時間オフセットによってシフトされた当該信号セグメントと相関させて、当該信号セグメントに関する最も高い相関係数を決定する工程と、
前記少なくとも１つの第１の心臓信号中及び前記少なくとも１つの第２の心臓信号中において追加の信号セグメントに対して前記相関を繰り返して、当該追加の信号セグメントの各々に関する最も高い相関係数を決定する工程と、
前記少なくとも１つの第１の心臓信号の前記信号セグメント及び前記少なくとも１つの第２の心臓信号の前記信号セグメントに関する最も高い相関係数を用いて、複数の複合相関係数を生じさせる工程と、
前記少なくとも１つの第１の心臓信号からの少なくとも１つの信号セグメント及び前記少なくとも１つの第２の心臓信号からの少なくとも１つの信号セグメントを含む１組の信号セグメントを選択する工程と、
を備え、
前記少なくとも１つの第１の心臓信号の前記信号セグメントは、前記少なくとも１つの第２の心臓信号の前記信号セグメントとほぼ同時期に存在し、
前記１組の信号セグメントは、前記複数の複合相関係数からの最も高い複合相関係数と関連している、方法。
【請求項１６】
前記少なくとも１つの第１の心臓信号及び前記少なくとも１つの第２の心臓信号をフィルタ処理する工程を更に含む、請求項１５記載の方法。
【請求項１７】
前記少なくとも１つの第１の心臓信号中の前記複数の信号セグメントは、少なくとも部分的にオーバーラップしている、請求項１５記載の方法。
【請求項１８】
前記少なくとも１つの第２の心臓信号中の前記複数の信号セグメントは、少なくとも部分的にオーバーラップしている、請求項１５記載の方法。
【請求項１９】
前記少なくとも１つの第１の心臓信号中の前記複数の信号セグメント及び前記少なくとも１つの第２の心臓信号中の前記複数の信号セグメントの各信号セグメントは、所定のセグメント長さのものである、請求項１５記載の方法。
【請求項２０】
前記所定のセグメント長さは、長さが２秒及び４秒のうちの一方である、請求項１９記載の方法。
【請求項２１】
前記複数の時間オフセットは、１００ｍｓｅｃから３５０ｍｓｅｃまでの範囲にある、請求項１５記載の方法。
【請求項２２】
第１の心臓信号中の第１の信号セグメントを複数の時間オフセットで相関させる前記工程は、
前記第１の信号セグメントから第１の基準セグメントを生じさせる工程を含み、前記第１の基準セグメントは、前記第１の信号セグメントの開始時から、前記第１の信号セグメントの終わりから第１の時間オフセットを差し引いた値によって表される終了時まで、延びており、
前記第１の信号セグメント中の前記第１の時間オフセットから前記第１の信号セグメントの前記終わりまで延びる前記第１の信号セグメントの第１の相関係数を、前記第１の基準セグメントに対して決定する工程を含み、
前記第１の信号セグメントから第２の基準セグメントを生じさせる工程を含み、前記第２の基準セグメントは、前記第１の信号セグメントの開始時から、前記第１の信号セグメントの終わりから第２の時間オフセットを差し引いた値によって表される終了時まで、延びており、
前記第１の信号セグメント中の前記第２の時間オフセットから前記第１の信号セグメントの前記終わりまで延びる前記第１の信号セグメントの第２の相関係数を、前記第２の基準セグメントに対して決定する工程を含み、
前記第１の相関係数及び前記第２の相関係数の中から前記第１の心臓信号に関する前記最も高い相関係数を選択する工程を含む、請求項１５記載の方法。
【請求項２３】
第２の心臓信号中の第１の信号セグメントを複数の時間オフセットで相関させる前記工程は、
前記第１の信号セグメントから第１の基準セグメントを生じさせる工程を含み、前記第１の基準セグメントは、前記第１の信号セグメントの開始時から、前記第１の信号セグメントの終わりから第１の時間オフセットを差し引いた値によって表される終了時まで、延びており、
前記第１の信号セグメント中の前記第１の時間オフセットから前記第１の信号セグメントの前記終わりまで延びる前記第１の信号セグメントの第１の相関係数を、前記第１の基準セグメントに対して決定する工程を含み、
前記第１の信号セグメントから第２の基準セグメントを生じさせる工程を含み、前記第２の基準セグメントは、前記第１の信号セグメントの開始時から、前記第１の信号セグメントの終わりから第２の時間オフセットを差し引いた値によって表される終了時まで、延びており、
前記第１の信号セグメント中の前記第２の時間オフセットから前記第１の信号セグメントの前記終わりまで延びる前記第１の信号セグメントの第２の相関係数を、前記第２の基準セグメントに対して決定する工程を含み、
前記第１の相関係数及び前記第２の相関係数の中から前記第２の心臓信号に関する前記最も高い相関係数を選択する工程を含む、請求項２２記載の方法。
【請求項２４】
複数の複合相関係数を生じさせる前記工程は、前記第１の心臓信号に関する前記最も高い相関係数と前記第２の心臓信号に関する前記最も高い相関係数との和を計算する工程を含む、請求項２３記載の方法。
【請求項２５】
複数の複合相関係数を生じさせる前記工程は、前記第１の心臓信号に関する前記最も高い相関係数と前記第２の心臓信号に関する前記最も高い相関係数との平均値を計算する工程を含む、請求項２３記載の方法。
【請求項２６】
複数の複合相関係数を生じさせる前記工程は、前記第１の心臓信号に関する前記最も高い相関係数と前記第２の心臓信号に関する前記最も高い相関係数との二乗平均平方根を計算する工程を含む、請求項２３記載の方法。
【請求項２７】
前記複数の複合相関係数は、前記少なくとも１つの第１の心臓信号の前記信号セグメント及び前記少なくとも１つの第２の心臓信号の前記信号セグメントに関する前記最も高い相関係数の和、平均値、及び二乗平均平方根のうちの１つを用いて生成される、請求項１５記載の方法。
【請求項２８】
前記方法は、前記１組の信号セグメントを処理して心調律障害の発生源を突き止める工程を更に含む、請求項１５記載の方法。